(57)【要約】  ファインダ内においてデフォーカス画像を最適な位置に配置可能とする撮影装置を及びその制御方法を提供する。  デジタルカメラ（１１）は、ファインダ部（１５）、撮影光学系（１６）、フォーカスリング（１７）、アイセンサ（２７）、撮像素子（３１）、主制御部（３２）、デジタル信号処理部（４５）、及びファインダ内表示制御部（４８）を備える。撮像素子（３１）は、被写体像を瞳分割して形成された第１及び第２の光束を受光して得られる第１及び第２撮像信号を出力する。主制御部（３２）は、第１及び第２の光束を受光して得られる第１及び第２撮像信号に基づき、デフォーカス量を算出し、デフォーカス画像を生成する。アイセンサ（２７）は、ファインダ部（１５）に接眼する撮影者の眼の位置Ｐを検出する。ファインダ内表示制御部（４８）は、眼の位置Ｐのズレ方向に応じてデフォーカス画像を表示させる位置を変更する。
2017057509.tif 000002
【特許請求の範囲】
【請求項１】
撮影光学系と、
前記撮影光学系のフォーカス調節操作を可能とするフォーカス調節操作部と、
前記撮影光学系からの被写体像を光電変換して通常画像を生成し、且つ前記被写体像を瞳分割して形成された第１及び第２の光束をそれぞれ光電変換して第１及び第２撮像信号を生成する撮像素子と、
前記第１及び第２撮像信号に基づいて、前記撮影光学系のデフォーカス量を表すデフォーカス画像を生成するデフォーカス画像生成部と、
前記被写体像又は前記通常画像が観察エリア内で観察可能に構成されたファインダ部と、
前記ファインダ部に接眼した撮影者の眼の位置を検出する眼位置検出部と、
前記眼位置検出部により検出された前記眼の位置に基づき、前記観察エリア内の特定位置に対する眼の位置のズレ方向を算出するズレ方向算出部と、
前記観察エリア内において、前記観察エリア内の特定位置に対して前記ズレ方向とは反対の領域に前記デフォーカス画像を表示させるファインダ内表示制御部と、
を備える撮影装置。
【請求項２】
前記観察エリアは、前記第１及び第２の光束に基づき得られる撮像信号である前記第１及び第２撮像信号を用いて前記撮影光学系の前記デフォーカス量が算出されるフォーカス調節エリアを有しており、
前記ファインダ内表示制御部は、前記フォーカス調節エリア外であり、且つ前記ズレ方向とは反対の領域に、前記デフォーカス画像を表示させる請求項１に記載の撮影装置。
【請求項３】
前記デフォーカス画像は、第１方向に互いに離間した第１及び第２の指標により表され、
前記ファインダ内表示制御部は、前記デフォーカス量が小さいほど、前記第１方向における前記第１及び第２の指標の間の間隔である第１間隔を小さくする請求項２に記載の撮影装置。
【請求項４】
前記第１及び第２の指標は、前記第１方向と直交する第２方向に互いに離間しており、
前記ファインダ内表示部は、前記デフォーカス量が小さいほど、前記第２方向における前記第１及び第２の指標の間の間隔である第２間隔を小さくする請求項３に記載の撮影装置。
【請求項５】
前記ファインダ内表示制御部は、前記デフォーカス量が０である場合、前記第１及び第２間隔を０とする請求項４に記載の撮影装置。
【請求項６】
前記ファインダ内表示制御部は、前記デフォーカス量が０である場合、前記第１及び第２の指標を一体化して表示させる請求項５に記載の撮影装置。
【請求項７】
前記第１の指標は、前記第２方向に前記第２の指標と対向する部分に凸部を有し、
前記第２の指標は、前記第２方向に前記第１の指標と対向する部分に凹部を有し、
前記デフォーカス量が０である場合に、前記凸部と前記凹部とが嵌合される請求項５または６に記載の撮影装置。
【請求項８】
前記デフォーカス量が、前記撮影光学系の焦点深度内か否かを判定する判定部を有し、
前記ファインダ内表示制御部は、前記判定部により前記デフォーカス量が前記焦点深度内にあると判定された場合には前記デフォーカス量に応じて前記第２間隔を変更し、前記判定部により前記デフォーカス量が前記焦点深度外にあると判定された場合には前記デフォーカス量に依らず前記第２間隔を一定とする請求項４〜７のいずれか１項に記載の撮影装置。
【請求項９】
前記眼位置検出部は、垂直方向及び水平方向のそれぞれの前記眼の位置を検出し、
前記ファインダ内表示制御部は、前記垂直方向に関する前記ズレ方向とは反対の領域であり、且つ前記水平方向に関する前記ズレ方向とは反対の領域に、前記デフォーカス画像を表示させる請求項１〜８のいずれか１項に記載の撮影装置。
【請求項１０】
前記特定位置は、前記観察エリアの中心である請求項１〜９のいずれか１項に記載の撮影装置。
【請求項１１】
撮影光学系と、
前記撮影光学系のフォーカス調節操作を可能とするフォーカス調節操作部と、
前記撮影光学系からの被写体像を光電変換して通常画像を生成し、且つ前記被写体像を瞳分割して形成された第１及び第２の光束をそれぞれ光電変換して第１及び第２撮像信号を生成する撮像素子と、
前記第１及び第２撮像信号に基づいて、前記撮影光学系のデフォーカス量を表すデフォーカス画像を生成するデフォーカス画像生成部と、
前記被写体像又は前記通常画像が観察エリア内で観察可能に構成されたファインダ部と、
を備える撮影装置の制御方法において、
前記ファインダ部に接眼した撮影者の眼の位置を検出する眼位置検出ステップと、
前記眼位置検出ステップにより検出された前記眼の位置に基づき、前記観察エリア内の特定位置に対する眼の位置のズレ方向を算出するズレ方向算出ステップと、
前記観察エリア内において、前記観察エリア内の特定位置に対して前記ズレ方向とは反対の領域に前記デフォーカス画像を表示させるファインダ内表示ステップと、を備える撮影装置の制御方法。
【発明の詳細な説明】
【技術分野】
【０００１】
本発明は、電子ビューファインダまたはハイブリッドビューファインダを有する撮影装置及びその制御方法に関する。
【背景技術】
【０００２】
近年、光学ビューファインダ（以下、ＯＶＦという）や電子ビューファインダ（以下、ＥＶＦという）の他に、ハイブリッドビューファインダを有するデジタルカメラ等の撮影装置が知られている（特許文献１参照）。ハイブリッドビューファインダは、ＯＶＦモードとＥＶＦモードとを有し、両者を切り替え可能とする。【０００３】
ハイブリッドビューファインダは、表示部と、ファインダ窓と、光路統合部としてのハーフミラーとを備えている。表示部は、被写体の光学像を撮像素子で撮像して得られた被写体画像を表示する。ファインダ窓には、被写体の光学像が入射する。ハーフミラーは、ファインダ窓に入射した光学像を一部透過させてファインダ接眼部に導き、表示部が表示した表示画像を一部反射させてファインダ接眼部に導く。また、ハイブリッドビューファインダは、ファインダ窓に入射する光学像を遮蔽するシャッタ（以下、ＯＶＦシャッタという）を有している。ＯＶＦモードでは、ＯＶＦシャッタを開状態とし、表示部を非表示とさせることで、光学像をファインダ接眼部に導く。ＥＶＦモードでは、ＯＶＦシャッタを閉状態とし、表示部を表示とさせることで、表示画像をファインダ接眼部に導く。【０００４】
一方、上級者向けの一眼レフタイプなどのカメラは、撮影者が手動でフォーカス調節を行うことを可能とするマニュアルフォーカス機能を有する。また、マニュアルフォーカス時のフォーカス調節を容易にするために、被写体画像の一部をスプリットイメージとして表示部にライブビュー表示させるデジタルカメラが知られている（例えば、特許文献１を参照）。【０００５】
スプリットイメージは、被写体を瞳分割方式の撮像で得られた２つの被写体画像（２つの位相差画像）で構成される。隣接して表示される２つの位相差画像のずれ（位相差）が、被写体に対するフォーカスのずれ量を表している。隣接した２つの位相差画像は、フォーカスが合っていない状態（非合焦状態）では左右にずれて表示され、フォーカスが合った状態（合焦状態）では左右のずれがなくなる。撮影者は、２つの位相差画像の左右のずれがなくなるようにフォーカスリングを操作することによってフォーカスを被写体に合わせることができる。【０００６】
スプリットイメージをデジタルカメラの背面表示部に表示させるものの他に、近年では、ＥＶＦや、ハイブリッドビューファインダの表示部に表示させるように構成されたデジタルカメラが発売されている。
【先行技術文献】
【特許文献】
【０００７】
【特許文献１】特開２０１２−０６５２９４号公報
【特許文献２】特開２００９−１４７６６５号公報
【発明の概要】
【発明が解決しようとする課題】
【０００８】
しかしながら、スプリットイメージをファインダ内の表示部に表示させるデジタルカメラでは、背面表示部に表示させるものと比べて、スプリットイメージが表示される領域が小さいので、撮影者は、フォーカスが被写体に対してどの程度ずれているのかを認識し難いという問題がある。【０００９】
そこで、発明者らは、スプリットイメージに代えて、撮影光学系のデフォーカス量を表すデフォーカス画像をファインダ内に表示させることを検討している。デフォーカス画像とは、デフォーカス量に応じて離間して配置された一対の指標（例えば、一対のバー）である。【００１０】
しかし、このようなデフォーカス画像をファインダ内に表示する場合には、デフォーカス画像を表示させる位置が問題となる。具体的には、撮影者がデフォーカス画像を視認しやすくするように、ファインダの観察エリアの中央付近にデフォーカス画像を表示させると、フォーカスを合わせるための被写体を観察しづらくなるという問題がある。一方、デフォーカス画像を観察エリアの端に表示させると、ファインダの接眼部に接眼した撮影者の眼の位置によっては、接眼部の一部がデフォーカス画像に重なり、デフォーカス画像が認識しづらくなるという状況が発生する。【００１１】
本発明は、ファインダ内においてデフォーカス画像を最適な位置に配置可能とする撮影装置を及びその制御方法を提供することを目的とする。
【課題を解決するための手段】
【００１２】
上記目的を達成するため、本発明の撮影装置は、撮影光学系と、フォーカス調節操作部と、撮像素子と、デフォーカス画像生成部と、ファインダ部と、眼位置検出部と、ズレ方向算出部と、ファインダ内表示制御部とを備える。フォーカス調節操作部は、撮影光学系のフォーカス調節操作を可能とする。撮像素子は、撮影光学系からの被写体像を光電変換して通常画像を生成し、且つ被写体像を瞳分割して形成された第１及び第２の光束をそれぞれ光電変換して第１及び第２の画像を生成する。デフォーカス画像生成部は、第１及び第２撮像信号に基づいて、撮影光学系のデフォーカス量を表すデフォーカス画像を生成する。ファインダ部は、被写体像又は通常画像が観察エリア内で観察可能に構成されている。眼位置検出部は、ファインダ部に接眼した撮影者の眼の位置を検出する。ズレ方向算出部は、眼位置検出部により検出された眼の位置に基づき、観察エリア内の特定位置に対する眼の位置のズレ方向を算出する。ファインダ内表示制御部は、観察エリア内において、観察エリア内の特定位置に対してズレ方向とは反対の領域にデフォーカス画像を表示させる。【００１３】
観察エリアは、第１及び第２の光束に基づき得られる撮像信号である第１及び第２撮像信号を用いて撮影光学系のデフォーカス量が算出されるフォーカス調節エリアを有しており、ファインダ内表示制御部は、フォーカス調節エリア外であり、且つズレ方向とは反対の領域に、デフォーカス画像を表示させることが好ましい。【００１４】
デフォーカス画像は、第１方向に互いに離間した第１及び第２の指標により表され、ファインダ内表示制御部は、デフォーカス量が小さいほど、第１方向における第１及び第２の指標の間の間隔である第１間隔を小さくすることが好ましい。【００１５】
第１及び第２の指標は、第１方向と直交する第２方向に互いに離間しており、ファインダ内表示部は、デフォーカス量が小さいほど、第２方向における第１及び第２の指標の間の間隔である第２間隔を小さくすることが好ましい。【００１６】
ファインダ内表示制御部は、デフォーカス量が０である場合、第１及び第２間隔を０とすることが好ましい。また、ファインダ内表示制御部は、デフォーカス量が０である場合、第１及び第２の指標を一体化して表示させることが好ましい。【００１７】
第１の指標は、第２方向に第２の指標と対向する部分に凸部を有し、第２の指標は、第２方向に第１の指標と対向する部分に凹部を有し、デフォーカス量が０である場合に、凸部と凹部とが嵌合されることが好ましい。【００１８】
デフォーカス量が、撮影光学系の焦点深度内か否かを判定する判定部を有し、ファインダ内表示制御部は、判定部によりデフォーカス量が焦点深度内にあると判定された場合にはデフォーカス量に応じて第２間隔を変更し、判定部によりデフォーカス量が焦点深度外にあると判定された場合にはデフォーカス量に依らず第２間隔を一定とすることが好ましい。【００１９】
眼位置検出部は、垂直方向及び水平方向のそれぞれの眼の位置を検出し、ファインダ内表示制御部は、垂直方向に関するズレ方向とは反対の領域であり、且つ水平方向に関するズレ方向とは反対の領域に、デフォーカス画像を表示させることが好ましい。また、特定位置は、観察エリアの中心であることが好ましい。【００２０】
本発明の撮影装置の制御方法は、ファインダ部に接眼した撮影者の眼の位置を検出する眼位置検出ステップと、眼位置検出ステップにより検出された眼の位置に基づき、観察エリア内の特定位置に対する眼の位置のズレ方向を算出するズレ方向算出ステップと、観察エリア内において、観察エリア内の特定位置に対してズレ方向とは反対の領域にデフォーカス画像を表示させるファインダ内表示ステップと、を備える。
【発明の効果】
【００２１】
本発明によれば、ファインダ内においてデフォーカス画像を最適な位置に配置することができる。
【図面の簡単な説明】
【００２２】
【図１】デジタルカメラの正面図である。
【図２】デジタルカメラの背面側斜視図である。
【図３】ファインダ部の観察エリア内を示す図である。
【図４】観察エリアの中でファインダ接眼部の外枠及び縁部によって隠される部分を示す説明図である。
【図５】デジタルカメラの電気的構成を示すブロック図である。
【図６】撮像素子の画素配列の一例を示す説明図である。
【図７】通常画素、第１及び第２位相差画素の構造を示す断面図である。
【図８Ａ】非合焦状態におけるデフォーカス画像を示す説明図である。
【図８Ｂ】合焦状態におけるデフォーカス画像を示す説明図である。
【図９Ａ】眼の位置のズレ方向が右側の場合、デフォーカス画像を観察エリアの中心に対して左側に表示する説明図である。
【図９Ｂ】眼の位置のズレ方向が左側の場合、デフォーカス画像を観察エリアの中心に対して右側に表示する説明図である。
【図１０】光学像と情報画像とを重ね合わせたＯＶＦ画像を示す図である。
【図１１】撮影時にデフォーカス画像を表示する際の処理を説明するフローチャートである。
【図１２Ａ】第２実施形態のデフォーカス画像であり、非合焦状態におけるデフォーカス画像を示す説明図である。
【図１２Ｂ】第２実施形態のデフォーカス画像であり、合焦状態におけるデフォーカス画像を示す説明図である。
【図１３Ａ】第３実施形態のデフォーカス画像であり、非合焦状態におけるデフォーカス画像を示す説明図である。
【図１３Ｂ】第３実施形態のデフォーカス画像であり、合焦状態におけるデフォーカス画像を示す説明図である。
【図１４Ａ】第４実施形態のデフォーカス画像であり、非合焦状態におけるデフォーカス画像を示す説明図である。
【図１４Ｂ】第４実施形態のデフォーカス画像であり、合焦状態におけるデフォーカス画像を示す説明図である。
【図１５Ａ】第５実施形態のデフォーカス画像であり、非合焦状態におけるデフォーカス画像を示す説明図である。
【図１５Ｂ】第５実施形態のデフォーカス画像であり、合焦状態におけるデフォーカス画像を示す説明図である
【図１６】重畳表示モードを説明する図である。
【発明を実施するための形態】
【００２３】
［第１実施形態］
図１及び図２において、デジタルカメラ１１は、カメラ本体１２、レンズ鏡筒１３、背面表示部１４、及びファインダ部１５を備える。レンズ鏡筒１３は、カメラ本体１２の前面に設けられており、撮影光学系１６を保持している。レンズ鏡筒１３の外周には、フォーカスリング１７（フォーカス調節操作部）及び絞りリング１８を回転自在に設けられている。フォーカスリング１７及び絞りリング１８は、撮影者が手動で回転操作することにより、フォーカス調節及び絞り調節をそれぞれ可能とするための操作部材である。
【００２４】
ファインダ部１５は、光学ビューファインダ（ＯＶＦ）モードと、電子ビューファインダ（ＥＶＦ）モードとの切り替えが可能なハイブリッド型である。
【００２５】
カメラ本体１２の上面には、電源ボタン１９、レリーズボタン２０、シャッタダイヤル２２等が設けられている。カメラ本体１２の前面には、ファインダ切替レバー２１、オートフォーカス／マニュアルフォーカス（ＡＦ／ＭＦ）切替スイッチ２３等が設けられている。カメラ本体１２の背面には、モードボタン２４、ズームボタン２５等が設けられている。
【００２６】
ＡＦ／ＭＦ切替スイッチ２３は、撮影光学系１６のフォーカス調節を行うモードを、オートフォーカスモードと、マニュアルフォーカスモードとの間で切り替えるためのスイッチである。オートフォーカスモードでは、撮影光学系１６のフォーカス調節が自動で行われる。マニュアルフォーカスモードでは、撮影者がフォーカスリング１７を回転操作することによりフォーカス調節を手動で行うことを可能とする。なお、オートフォーカスモードと、マニュアルフォーカスモードとの切り替えは、ＡＦ／ＭＦ切替スイッチ２３だけではなく、後述するようにモードボタン２４等の操作によっても行うことができる。
【００２７】
電源ボタン１９は、デジタルカメラ１１の電源（図示せず）をオンまたはオフする際に操作される。レリーズボタン２０は、撮影を実行する際に操作される。ファインダ切替レバー２１は、ファインダ部１５を、ＯＶＦモードとＥＶＦモードとの間で切り替える際に操作される。シャッタダイヤル２２は、デジタルカメラ１１のシャッタ速度を切り替える際に操作される。ズームボタン２５は、ズーミングを行う際に操作される。
【００２８】
レリーズボタン２０は、Ｓ１スイッチとＳ２スイッチとで構成された２段ストローク式のスイッチ（図示せず）を有する。デジタルカメラ１１は、レリーズボタン２０が押下（半押し）され、Ｓ１スイッチがオン状態となると、自動露出調節等の撮影準備動作を行う。この状態からさらにレリーズボタン２０が押下（全押し）され、Ｓ２スイッチがオン状態となると、撮影動作が行われる。
【００２９】
背面表示部１４は、カメラ本体１２の背面に設けられており、各種撮影モードで取得された画像や、各種設定を行うためのメニュー画面を表示する。
【００３０】
また、カメラ本体１２の底部には、後述する記録メディア５５（図３参照）を装着するためのスロット（図示せず）が設けられている。
【００３１】
ファインダ部１５は、被写体の光学像を取り込むファインダ対物窓１５ａと、撮影者の眼が接眼されるファインダ接眼部１５ｂとを有している。ファインダ対物窓１５ａは、カメラ本体１２の前面側に設けられている。ファインダ接眼部１５ｂは、カメラ本体１２の背面側に設けられている。
【００３２】
ファインダ接眼部１５ｂは、アイカップ部２６と、アイセンサ２７とを備える。アイカップ部２６は、撮影者の眼の周辺が接触する部分である。アイカップ部２６は、外形が略長方形の枠状であり、内部にファインダ接眼窓２６ａが形成されている。ファインダ接眼窓２６ａは円形状に形成され、ファインダ部１５内を露呈させる。
【００３３】
アイセンサ２７は、光学センサ等からなり、ファインダ接眼窓２６ａを中心にしてアイカップ部２６の側方部、本実施形態ではアイカップ部２６の右側に配されている。アイセンサ２７は、周知の眼位置検出部であり、例えば光学センサの受光量に応じて、ファインダ部１５に接眼した撮影者の眼の位置Ｐを検出する。
【００３４】
図３に示すように、ファインダ部１５には、観察エリアＥ内にフォーカス調節エリアＥＦ（長方形枠Ｆで示す領域）が設定されている。このフォーカス調節エリアＥＦに近接して、後述するデフォーカス画像５７が表示される。
【００３５】
マニュアルフォーカスモードの場合、撮影者がフォーカスリング１７の回転操作により、撮影光学系１６のフォーカス調節を行うと、デフォーカス量に応じてデフォーカス画像５７が変化する。撮影者は、デフォーカス画像５７により、フォーカス調節エリアＥＦ内のフォーカス状態を認識することができる。本実施形態では、観察エリアＥは、被写体表示エリアＥＳと、情報表示エリアＥＩとに分かれている。フォーカス調節エリアＥＦは、被写体表示エリアＥＳの中央に位置しており、被写体表示エリアＥＳよりも小さい長方形の領域である。被写体表示エリアＥＳは、後述するように、被写体の光学像又は通常画像５６が観察可能な領域である。
【００３６】
情報表示エリアＥＩには、情報画像が表示される。情報画像は、撮影条件、撮影モード等の撮影情報に基づいて生成される。撮影条件には、シャッタ速度、絞り値、ＩＳＯ感度等が含まれる。撮影モードには、オート撮影モードやマニュアル撮影モード等が含まれる。オート撮影モードでは、光学像を撮像して得られる画像データに基づいて、フォーカス調節や自動露出調節が行われ、フォーカス、シャッタ速度及び絞り値が自動的に設定される。マニュアル撮影モードでは、撮影者がフォーカスリング１７を回転操作してフォーカス調節を行うとともに、撮影者がシャッタダイヤル２２、絞りリング１８などを操作してシャッタ速度や絞り値を手動で設定可能である。撮影モードは、モードボタン２４等の操作によって設定可能である。
【００３７】
図３に示す情報表示エリアＥＩには、撮影情報の一例として、シャッタ速度を示す「１／２０００」、絞り値を示す「Ｆ５．６」、ＩＳＯ感度を示す「ＩＳＯ２００」、撮影モードを示す「Ｍ」が表示されている。
【００３８】
上述したように、ファインダ接眼部１５ｂには、アイカップ部２６が形成されている。このため、図４に示すように、ファインダ部１５内の観察エリアＥ内の一部には、アイカップ部２６の枠部及びファインダ接眼窓２６ａの縁部によって隠れてしまう部分Ｓ（ハッチングで示す範囲）が存在し、撮影者が視認することができない場合がある。例えば、撮影者の眼の位置Ｐ（図５参照）がアイカップ部２６の右側に位置する場合には、観察エリアＥの右側が上記縁部によって隠れる。逆に、撮影者の眼の位置Ｐがアイカップ部２６の左側に位置する場合には、観察エリアＥの左側が上記縁部によって隠れる。上記縁部によって隠れた領域は、撮影者が視認することができない。
【００３９】
図５において、レンズ鏡筒１３は、撮影光学系１６、フォーカスリング１７などの他にセンサ２９を備える。マニュアルフォーカスモードの場合、センサ２９は、フォーカスリング１７の回転方向及び回転量を検出する。センサ２９は、例えば、フォーカスリング１７の内周面に設けられた櫛歯リング（図示せず）と、検出信号を出力する光学センサ（図示せず）とから構成される。センサ２９からの検出信号は、主制御部３２に出力される。主制御部３２は、センサ２９から入力される検出信号に基づいてフォーカスリング１７の回転方向及び回転量を検出する。
【００４０】
撮影光学系１６は、変倍レンズ１６ａ、フォーカスレンズ１６ｂを含む複数のレンズ、絞り３０などを備える。撮影光学系１６の背後には、撮影光学系１６の光軸ＬＡに沿って、撮像素子３１が配される。撮像素子３１は、カメラ本体１２の内部に設けられている。
【００４１】
絞り３０は、主制御部３２によって駆動制御され、撮像素子３１に入射させる光量を調整する。撮像素子３１には、撮影光学系１６を通過し、絞り３０により光量が調整された被写体の光学像が入射する。
【００４２】
撮影光学系１６には、レンズ駆動部３４が接続されている。主制御部３２は、センサ２９の信号に基づき検出したフォーカスリング１７の回転方向及び回転量に応じてフォーカスレンズ１６ｂを移動させる制御信号をレンズ駆動部３４に送信する。レンズ駆動部３４は、制御信号に基づいてフォーカスレンズ１６ｂを移動させる。
【００４３】
また、主制御部３２は、レンズ駆動部３４を制御して変倍レンズを光軸方向に移動させて撮影光学系１６にズーミングを行わせる。
【００４４】
撮像素子３１は、例えば、ＲＧＢ方式のカラーフィルタを有する単板カラー撮像方式のＣＭＯＳ型イメージセンサである。撮像素子３１は、２次元マトリクス状に配列された複数の画素により構成された受光面３１ａを有している。各画素は、光電変換素子を含んでおり、受光面に結像された光学像を光電変換により撮像して撮像信号を生成する。また、撮像素子３１は、電子シャッタ機能を有しており、シャッタ速度（電荷蓄積時間）が調整可能である。
【００４５】
図６に示す撮像素子３１の受光面３１ａには、撮影光学系１６を透過した被写体光が入射する。受光面３１ａには、通常画素３５と、第１位相差画素３６ａと、第２位相差画素３６ｂとが設けられている。通常画素３５、第１位相差画素３６ａ、及び第２位相差画素３６ｂは、全体としてマトリクス状に配列され、画像の各部を光電変換して撮像信号を出力する。撮像素子３１は、主制御部３２からの駆動信号によって動作する。
【００４６】
通常画素３５は、受光面３１ａに多数存在する。この通常画素３５は、被写体からの光束を瞳分割することなく受光する通常の画素である。各通常画素３５には、赤色（Ｒ）、緑色（Ｇ）、青色（Ｂ）のうちのいずれかのカラーフィルタ４１（図７参照）が設けられている。図５中の「Ｒ」は、Ｒフィルタが設けられた通常画素３５であるＲ画素を示す。「Ｇ」は、Ｇフィルタが設けられた通常画素３５であるＧ画素を示す。「Ｂ」は、Ｂフィルタが設けられた通常画素３５であるＢ画素を示す。
【００４７】
一方、受光面３１ａには、一部のＧ画素に代えて、被写体からの光束を瞳分割して受光する第１位相差画素３６ａ（図６中の「Ｇ１」に対応）、第２位相差画素３６ｂ（図６中の「Ｇ２」に対応）が所定のパターンで配されている。本実施形態においては、第１位相差画素３６ａと第２位相差画素３６ｂは、水平及び垂直方向にそれぞれ所定の間隔をあけて交互に設けられている。なお、フォーカス調節エリアＥＦに対応する領域にのみ第１，第２位相差画素３６ａ，３６ｂを配してもよい。
【００４８】
図７において、各画素３５，３６ａ，３６ｂは、半導体基板３７に形成されたフォトダイオード３８を有している。フォトダイオード３８は、入射した光をその受光量に応じた信号電荷に変換して蓄積する光電変換部である。半導体基板３７の表面に透明な絶縁膜３９が形成され、その上に遮光膜４０が形成されている。遮光膜４０には、通常画素３５のフォトダイオード３８上に通常開口４０ａが形成されている。通常開口４０ａは、フォトダイオード３８と同じ矩形状であるが、サイズがフォトダイオード３８よりも小さく、その中心がフォトダイオード３８の中心と一致した位置に設けられている。
【００４９】
また、遮光膜４０には、第１位相差画素３６ａのフォトダイオード３８上に第１偏心開口４０ｂが、また第２位相差画素３６ｂのフォトダイオード３８上に第２偏心開口４０ｃがそれぞれ形成されている。第１位相差画素３６ａの第１偏心開口４０ｂは、フォトダイオード３８の中心に対して右方向に、また第２位相差画素３６ｂの第２偏心開口４０ｃは、フォトダイオード３８の中心に対して左方向にずれた位置に形成されている。
【００５０】
なお、各偏心開口４０ｂ，４０ｃの偏心方向は、観察エリアＥの水平方向Ｘである。これは、観察エリアＥの水平方向Ｘに位相差を形成するためである。
【００５１】
遮光膜４０よりも上層に３原色（Ｒ、Ｇ、Ｂ）のいずれかのカラーフィルタ４１が設けられ、さらにその上に、画素ごとにマイクロレンズ４２が設けられている。第１位相差画素３６ａ及び第２位相差画素３６ｂには、緑色の光を透過するカラーフィルタ４１が設けられている。
【００５２】
上記のような構成により、第１位相差画素３６ａは、撮影光学系１６の射出瞳を分割した左側部分からの光束４３Ｌ（第１の光束）だけを受光する。第２位相差画素３６ｂは、右側部分からの光束４３Ｒ（第２の光束）だけを受光する。通常画素３５は、撮影光学系１６からの光束を瞳分割することなく受光する。
【００５３】
撮像素子３１は、ノイズ除去回路、オートゲインコントローラ、Ａ／Ｄ変換回路等の信号処理回路（いずれも図示せず）を備える。ノイズ除去回路は、撮像信号にノイズ除去処理を施す。オートゲインコントローラは、撮像信号のレベルを最適な値に増幅する。Ａ／Ｄ変換回路は、撮像信号をデジタル信号に変換して撮像素子３１から出力する。撮像素子３１の出力信号は、各画素３５，３６ａ，３６ｂごとに１つの画素値を有する画像データ（いわゆるＲＡＷデータ）である。
【００５４】
撮像素子３１及び主制御部３２は、バス３３に接続されている。この他、バス３３には、メモリ制御部４４、デジタル信号処理部４５、メディア制御部４６、背面表示制御部４７、ファインダ内表示制御部４８が接続されている。
【００５５】
メモリ制御部４４には、ＳＤＲＡＭ等の一時記憶用のメモリ４９が接続されている。メモリ制御部４４は、撮像素子３１から出力された画像データをメモリ４９に入力して記憶させる。また、メモリ制御部４４は、メモリ４９に記憶された画像データを、デジタル信号処理部４５に出力する。
【００５６】
デジタル信号処理部４５は、メモリ４９から入力された画像データに対して、マトリクス演算、デモザイク処理、γ補正、輝度変換、色差変換、リサイズ処理などの公知の画像処理を施し、各通常画素３５の画素値に基づいて、被写体画像を生成する。以下、通常画素３５に基づいて生成される被写体画像を通常画像５６という。通常画像５６は、同時化処理によって全ての画素が３色の画素値を有したカラー画像である。
【００５７】
また、デジタル信号処理部４５には、デフォーカス量検出部５１と、デフォーカス画像生成部５２と、ズレ方向算出部５３とが構成されている。デフォーカス量検出部５１は、フォーカス調節エリアＥＦ内の第１位相差画素３６ａにより生成される第１撮像信号と、第２位相差画素３６ｂにより生成される第２撮像信号とを取得し、両者の位相差量を検出し、この位相差量から撮影光学系１６のデフォーカス量を算出する。
【００５８】
デフォーカス画像生成部５２は、デフォーカス量検出部５１により算出されたデフォーカス量に基づき、デフォーカス画像５７を生成する。このデフォーカス画像５７は、後述するファインダ部１５の液晶表示装置（ＥＶＦＬＣＤ）６１に表示される。図８Ａに示すように、デフォーカス画像５７は、水平方向Ｘ（第１方向）に互いに離間した第１及び第２の指標５８、５９により表される。第１及び第２の指標５８，５９を囲む水平方向Ｘにおける第１及び第２の指標５８、５９の間の間隔である第１間隔Ｄ１は、撮影光学系１６のデフォーカス量を表している。第１間隔Ｄ１は、デフォーカス量が小さいほど小さい。なお、図３、図８Ａ及び図８Ｂでは、デフォーカス画像５７を含むデフォーカス画像表示エリアＥＤを、長方形枠（破線で示す長方形枠）により表しているが、この長方形枠は、仮想的な線である。本実施形態においては、長方形枠は実際には表示しないが、実線等で表示してもよい。以降の図面においても同様である。
【００５９】
デフォーカス画像生成部５２は、第１及び第２撮像信号が得られるたびにデフォーカス画像５７を生成する。マニュアルフォーカスモードの場合、フォーカスリング１７の回転操作により、撮影光学系１６のフォーカス調節を行うと、デフォーカス量の変化に応じてデフォーカス画像５７が変化する。撮影者は、デフォーカス画像５７の第１間隔Ｄ１により、撮影光学系１６のフォーカス状態を認識することができる。
【００６０】
フォーカスリング１７の回転操作により、デフォーカス量が「０」、すなわち、撮影光学系１６が合焦状態となった場合には、図８Ｂに示すように、第１間隔Ｄ１が「０」となり、第１及び第２の指標５８，５９が一直線状に並ぶ。
【００６１】
上述したように、アイセンサ２７は、撮影者の眼の位置Ｐを検出する。具体的には、アイセンサ２７は、垂直方向及び水平方向における眼の位置Ｐを検出して主制御部３２に送信する。ズレ方向算出部５３は、アイセンサ２７により検出された眼の位置Ｐに基づき、観察エリアＥ内の特定位置、例えば観察エリアＥの中心に対する眼の位置Ｐのズレ方向を算出する。主制御部３２は、ズレ方向算出部５３により算出された眼の位置Ｐのズレ方向を表す情報をファインダ内表示制御部４８に送信する。
【００６２】
メディア制御部４６は、記録メディア５５への画像ファイルの記録及び読み出しを制御する。記録メディア５５は、例えば、フラッシュメモリを内蔵したメモリカードである。メディア制御部４６は、デジタル信号処理部４５によって圧縮された画像データを記録メディア５５に記録する。
【００６３】
背面表示制御部４７は、前述の背面表示部１４への画像表示を制御する。具体的には、背面表示制御部４７は、デジタル信号処理部４５により生成された画像データに基づいて、ＮＴＳＣ規格等に準拠した映像信号を生成して背面表示部１４に出力する。
【００６４】
ファインダ内表示制御部４８は、背面表示制御部４７と同様に画像データに基づいた映像信号を生成し、ＥＶＦＬＣＤ６１に出力する。
【００６５】
ファインダ部１５には、ＥＶＦＬＣＤ６１と、プリズム６２と、ＯＶＦシャッタ（光学シャッタ）６３とが設けられている。
【００６６】
ＥＶＦＬＣＤ６１は、上述した観察エリアＥに対応しており、被写体画像が表示される被写体表示エリアＥＳと、情報画像が表示される情報表示エリアＥＩとが設定される。さらに、被写体表示エリアＥＳ内には、フォーカス調節エリアＥＦを示す長方形の表示枠Ｆと、デフォーカス画像表示エリアＥＤが設定される。情報表示エリアＥＩは、被写体表示エリアＥＳの下端に沿った長方形状に設定される。被写体画像は、デジタル信号処理部４５により生成される通常画像５６である。また、情報画像は、主制御部３２により生成される。
【００６７】
プリズム６２は、光路統合部としてのハーフミラー６８が内部に構成されている。ハーフミラー６８は、ファインダ対物窓１５ａに入射した被写体の光学像が伝搬する第１光路６９と、ＥＶＦＬＣＤ６１に表示された表示画像が伝搬する第２光路７０とに対して４５度の角度をなすように配置されている。このハーフミラー６８は、第１光路６９と第２光路７０とを統合して第３光路７１とする。この第３光路７１上にファインダ接眼窓２６ａが配置されている。
【００６８】
ハーフミラー６８は、第１光路６９上を伝搬する光学像を一部透過させて第３光路７１に導き、第２光路７０上を伝搬する表示画像を一部反射させて第３光路７１に導く。これにより、光学像及び表示画像がファインダ接眼部１５ｂに導かれる。
【００６９】
ＯＶＦシャッタ６３は、液晶シャッタであり、第１光路６９上に配置されている。ＯＶＦシャッタ６３は、主制御部３２により制御され、ファインダ対物窓１５ａから入射する光学像を遮光してプリズム６２に入射させない「閉状態」と、光学像を透過させてプリズム６２に入射させる「開状態」との間で切り替えられる。ＯＶＦシャッタ６３は、ＯＶＦモードの場合に「開状態」とされ、ＥＶＦモードの場合に「閉状態」とされる。
【００７０】
ＥＶＦＬＣＤ６１は、バックライトと、液晶パネル（ともに図示せず）とを有し、バックライトが液晶パネルに光を照射し、液晶パネルを透過した光により画像表示が行われる。
【００７１】
ファインダ内表示制御部４８は、ＥＶＦモードとＯＶＦモードとで異なる映像信号を生成する。ＥＶＦモードでは、ファインダ内表示制御部４８は、通常画像５６、デフォーカス画像５７及び情報画像に基づいて映像信号を生成する。具体的には、ファインダ内表示制御部４８は、ＥＶＦＬＣＤ６１の被写体表示エリアＥＳ及び情報表示エリアＥＩのエリア情報を把握しており、被写体表示エリアＥＳに通常画像５６及びフォーカス調節エリアＥＦを示す長方形枠Ｆを表示させ、デフォーカス画像表示エリアＥＤにデフォーカス画像５７を表示させ、情報表示エリアＥＩに情報画像を表示させる映像信号を生成する。この映像信号の情報表示エリアＥＩに対応する部分の信号値は、文字等の撮影情報を示す部分が最高階調（白色）レベルであり、その他の部分が最低階調（黒色）レベルである。
【００７２】
一方、ＯＶＦモードでは、ファインダ内表示制御部４８は、デフォーカス画像５７及び情報画像に基づいて映像信号を生成する。具体的には、ファインダ内表示制御部４８は、フォーカス調節エリアＥＦを示す長方形枠Ｆ及びデフォーカス画像表示エリアＥＤを除く被写体表示エリアＥＳを非表示とし、長方形枠Ｆと、デフォーカス画像表示エリアＥＤ内のデフォーカス画像５７と、情報表示エリアＥＩ内の情報画像を表示させる映像信号を生成する。
【００７３】
ＥＶＦＬＣＤ６１は、入力された映像信号に基づいて、液晶セルの光透過率が変更される。具体的には、液晶セルの光透過率は、映像信号の各信号値に応じた透過率に設定され、特に、信号値が黒色レベルの場合には最低透過率とされ、信号値が白色レベルの場合には最高透過率とされる。
【００７４】
ＥＶＦモード及びＯＶＦモードで映像信号を生成する場合、ファインダ内表示制御部４８は、ズレ方向算出部５３により算出した眼の位置Ｐのズレ方向に応じてデフォーカス画像５７を表示させる位置を変更する。すなわち、ファインダ内表示制御部４８は、被写体表示エリアＥＳ内において、観察エリアＥ内の特定位置、例えば観察エリアＥの中心に対して眼の位置Ｐのズレ方向とは反対の領域にデフォーカス画像５７を表示させる。また、ファインダ内表示制御部４８は、フォーカス調節エリアＥＦ外であり、且つフォーカス調節エリアＥＦに近接してデフォーカス画像５７を表示させる。ここで、近接とは、デフォーカス画像５７がフォーカス調節エリアＥＦに接している状態に限られず、デフォーカス画像５７がフォーカス調節エリアＥＦからある程度離間していてもよい。例えば、フォーカス調節エリアＥＦの水平方向Ｘにおける幅をＷ１（図９Ａ及び図９Ｂ参照）とした場合に、デフォーカス画像５７を、フォーカス調節エリアＥＦの側辺から幅Ｗ１の範囲内に表示させた状態を、近接した状態と定義する。
【００７５】
例えば、眼の位置Ｐのズレ方向が右側の場合には、デフォーカス画像５７は、図９Ａに示すように、フォーカス調節エリアＥＦを示す長方形枠Ｆの左側に近接して表示される。眼の位置Ｐのズレ方向が左側の場合には、デフォーカス画像５７は、図９Ｂに示すように、長方形枠Ｆの右側に近接して表示される。
【００７６】
以上のように、ＥＶＦモードでは、ＥＶＦＬＣＤ６１の被写体表示エリアＥＳには通常画像５６及び長方形枠Ｆが表示され、デフォーカス画像表示エリアＥＤにはデフォーカス画像５７が表示され、情報表示エリアＥＩには情報画像が表示される。この結果、図３に示す被写体像、長方形枠Ｆ、情報画像及びデフォーカス画像５７などがファインダ接眼窓２６ａの観察エリアＥに導かれる。
【００７７】
一方、ＯＶＦモードでは、長方形枠Ｆとデフォーカス画像表示エリアＥＤとを除く被写体表示エリアＥＳには通常画像５６が表示されず黒色である。ＯＶＦモードでは、デフォーカス画像表示エリアＥＤにはデフォーカス画像５７が表示され、情報表示エリアＥＩには情報画像が表示される。ＯＶＦモードでは、ＯＶＦシャッタ６３は「開状態」とされているため、光学像がＯＶＦシャッタ６３を透過し、第１光路６９上を伝搬してハーフミラー６８を透過することにより、第３光路７１に導かれる。この結果、図１０に示すように、光学像Ｐ１と、情報画像、デフォーカス画像５７及び長方形枠Ｆからなる画像Ｐ２とが重ね合わせられたＯＶＦ画像Ｐ３がファインダ接眼窓２６ａの観察エリアＥに導かれる。
【００７８】
次に、デジタルカメラ１１の作用について図１１に示すフローチャートに沿って説明する。まず、撮影者により、電源ボタン１９が操作されて電源がオン状態になると、デジタルカメラ１１の各部に電源電圧が供給される。また、モードボタン２４が操作されて、撮影モードが選択されると、撮像素子３１及びファインダ部１５が動作を開始する。なお、図１１に示すフローチャートでは、ファインダ切替レバー２１の設定がＥＶＦモード、ＡＦ／ＭＦ切替スイッチ２３の設定がマニュアルフォーカスモードの場合について説明する。
【００７９】
ファインダ部１５が動作を開始すると、先ず、アイセンサ２７が撮影者の眼の位置Ｐを検出して主制御部３２に送信する（Ｓ１）。主制御部３２のズレ方向算出部５３は、アイセンサ２７により検出された眼の位置Ｐに基づき、観察エリアＥの中心に対する眼の位置Ｐのズレ方向を算出して、算出したズレ方向を表す情報をファインダ内表示制御部４８に送信する（Ｓ２）。
【００８０】
撮像素子３１が動作を開始すると、被写体像が撮影光学系１６を通して受光面３１ａに入射し、通常画素３５、第１位相差画素３６ａ及び第２位相差画素３６ｂによって光電変換されて画像データが出力される（Ｓ３）。
【００８１】
メモリ４９に一旦蓄積された画像データはデジタル信号処理部４５に出力される。デジタル信号処理部４５によって、通常画素３５から出力された撮像信号に基づいて通常画像５６が生成される（Ｓ４）。一方、デジタル信号処理部４５では、フォーカス調節エリアＥＦに含まれる第１及び第２位相差画素３６ａ，３６ｂから出力された第１及び第２撮像信号に基づいてデフォーカス量が検出され、このデフォーカス量に基づき、デフォーカス画像５７が生成される（Ｓ５）。そして、通常画像５６及びデフォーカス画像５７がファインダ内表示制御部４８に送られる。また、ファインダ内表示制御部４８には、撮影モード、シャッタ速度、絞りなどの撮影情報も送られる。
【００８２】
ファインダ内表示制御部４８は、通常画像５６、デフォーカス画像５７及び情報画像と、ズレ方向算出部５３が算出した撮影者の眼の位置Ｐのズレ方向に基づいて映像信号を生成し、ＥＶＦＬＣＤ６１に表示させる。例えば、眼の位置Ｐのズレ方向が右側の場合（Ｓ６でＹ）、ファインダ内表示制御部４８は、フォーカス調節エリアＥＦを示す長方形枠Ｆの左側にデフォーカス画像５７が位置する映像信号を生成し、ＥＶＦＬＣＤ６１に表示させる（Ｓ７）。一方、眼の位置Ｐのズレ方向が左側の場合（Ｓ６でＮ）、ファインダ内表示制御部４８は、長方形枠Ｆの右側にデフォーカス画像５７が位置する映像信号を生成し、ＥＶＦＬＣＤ６１に表示させる（Ｓ８）。
【００８３】
１フレーム分の撮影ごとに、撮像素子３１から出力される画像データと、撮影者の眼の位置Ｐのズレ方向に基づき、通常画像５６、デフォーカス画像５７が生成され、ＥＶＦＬＣＤ６１に表示される。デフォーカス画像５７の第１及び第２の指標５８、５９の第１間隔Ｄ１が離間した位置にある場合には、フォーカスリング１７の回転操作により、撮影光学系１６のフォーカス調節を行うと、デフォーカス量の変化に応じてデフォーカス画像５７が変化する。そして、フォーカスリング１７の回転操作により、撮影光学系１６が合焦状態となった場合、第１間隔Ｄ１が「０」になり、第１及び第２の指標５８、５９が一直線状となる。撮影者は、デフォーカス画像５７を通じて、撮影光学系１６のフォーカス状態を認識することができる。
【００８４】
撮影者は、デフォーカス画像５７を確認しながらフォーカス調節を行った後、レリーズボタン２０を押圧操作して、撮影操作を行う（Ｓ９でＹ）。レリーズボタン２０が押圧されると、撮像素子３１によって撮像が行われ、通常画像５６が生成される。そして、この通常画像５６が、圧縮処理されてから、メディア制御部４６を介して記録メディア５５に記録される（Ｓ１０）。また、撮影操作が行われない場合（Ｓ９でＮ）には、ステップＳ１に戻る。
【００８５】
以上のように、アイカップ部２６の枠部及びファインダ接眼窓２６ａの縁部によって、ファインダ部１５内の観察エリアＥの一部が隠れる場合であっても、撮影者の眼の位置Ｐのズレ方向に基づき、ファインダ部１５の観察エリアＥの中心に対して眼の位置Ｐのズレ方向とは反対の領域にデフォーカス画像５７を表示させているので、デフォーカス画像５７が、アイカップ部２６及びファインダ接眼窓２６ａによって隠れない位置に表示される。このように、デフォーカス画像５７は、撮影者により視認されやすい最適な位置に表示される。
【００８６】
［第２実施形態］
上記第１実施形態では、デフォーカス画像５７を構成する第１及び第２の指標５８、５９を、水平方向Ｘ（第１方向）に離間させているが、第２実施形態では、図１２Ａに示すように、第１及び第２の指標５８、５９を、水平方向Ｘに加えて、水平方向Ｘと直交する垂直方向Ｙ（第２方向）にも離間させる。この場合、撮影光学系１６のデフォーカス量が小さいほど、垂直方向Ｙにおける第１及び第２の指標５８、５９の間の間隔である第１間隔Ｄ２を小さくする。
【００８７】
図１２Ｂに示すように、フォーカスリング１７の回転操作により、デフォーカス量が「０」、すなわち、撮影光学系１６が合焦状態となった場合には、第１間隔Ｄ１及び第２間隔Ｄ２がともに「０」になり、第１及び第２の指標５８、５９が一直線状に配される。
【００８８】
［第３実施形態］
第３実施形態は、図１３Ａに示すように、第１の指標５８に凸部５８ａを設け、第２の指標５９に凹部５９ａを設けたものである。凸部５８ａは、垂直方向Ｙにおいて、第１の指標５８の第２の指標５９に対向する部分に設けられている。凹部５９ａは、垂直方向Ｙにおいて、第２の指標５９の第１の指標５８に対向する部分に設けられている。第１及び第２の指標５８、５９は、第２実施形態と同様に水平方向Ｘ及び垂直方向Ｙに離間している。図１３Ｂに示すように、デフォーカス量が「０」、すなわち、撮影光学系１６が合焦状態となった場合には、第１及び第２の指標５８、５９の間隔が「０」になり、凸部５８ａと凹部５９ａとが嵌合される。
【００８９】
［第４実施形態］
第１〜第３実施形態では、撮影光学系１６が合焦状態となった場合に、第１及び第２の指標５８、５９の間隔が「０」となり一直線状となるが、さらに、第４実施形態では、合焦状態となった場合に、第１及び第２の指標５８、５９が一直線状となって両者の境界が消滅し、一体化する。例えば、図１４Ａに示すように、デフォーカス量に応じて水平方向Ｘ、垂直方向Ｙについて第１及び第２の指標５８、５９が離間しているが、図１４Ｂに示すように、デフォーカス量が「０」、すなわち、撮影光学系１６が合焦状態となった場合に、第１及び第２の指標５８、５９が一体化する。
【００９０】
［第５実施形態］
第１〜４実施形態では、第１及び第２の指標５８、５９の間隔は、デフォーカス量のみを表している。第５実施形態では、デフォーカス量が、撮影光学系１６の焦点深度内か否かを判定（すなわち、被写体が被写界深度内にあるか否かを判定）し、デフォーカス量が焦点深度外にあると判定された場合には、デフォーカス量によらず、第２方向の間隔を一定とする。本実施形態では、例えば、デジタル信号処理部４５が、デフォーカス量が焦点深度内か否かを判定する判定部として機能し、この判定結果、及びデフォーカス量に応じてデフォーカス画像５７を作成する。
【００９１】
判定部によりデフォーカス量が焦点深度外にあると判定された場合には、図１５Ａに示すように、デフォーカス量に依らず第２間隔Ｄ２を一定値Ｈとする。一方、判定部によりデフォーカス量が焦点深度内にあると判定された場合には、図１５Ｂに示すように、デフォーカス量に応じて第２間隔Ｄ２を変更する。この結果、デフォーカス量が焦点深度内にある場合には、第２間隔Ｄ２は、一定値Ｈより小さく、かつデフォーカス量が小さいほど小さくなる。
【００９２】
［第６実施形態］
上記各実施形態では、ファインダ部１５の表示モードとして、ＯＶＦモードとＥＶＦモードとを挙げているが、光学像に電子像を重畳させて表示する重畳表示モードを実行することも可能である。この重畳表示モードでは、図１６に示すように、観察エリアＥのコーナー付近に電子像である通常画像８０を表示させる。この通常画像８０は、フォーカス調節エリアＥＦ内の被写体像に対応している。重畳表示モードでは、主制御部３２は、ＯＶＦシャッタ６３を制御して、通常画像８０に対応する領域を遮光させる。これにより、撮影者は、デフォーカス画像５７とともに、通常画像８０によっても撮影光学系１６のフォーカス状態を認識することができる。
【００９３】
上記各実施形態では、第１及び第２の指標５８、５９が離間する第１方向を水平方向、第２方向を垂直方向としているが、第１方向を垂直方向、第２方向を水平方向としてもよい。
【００９４】
また、上記各実施形態では、ファインダ内表示制御部４８は、水平方向に関する眼の位置Ｐのズレ方向（すなわち、眼の位置Ｐのズレ方向が右側または左側の場合）とは反対側の領域にデフォーカス画像５７を表示させているが、これに限らず、ファインダ内表示制御部４８は、垂直方向に関する眼の位置Ｐのズレ方向とは反対側の領域にデフォーカス画像５７を表示させるようにしてもよく、垂直方向に関する眼の位置Ｐのズレ方向とは反対の領域であり、且つ水平方向に関する眼の位置Ｐのズレ方向とは反対の領域に、デフォーカス画像５７を表示させるようにしてもよい。
【００９５】
上記各実施形態では、デフォーカス量が算出されるフォーカス調節エリアＥＦは、観察エリアＥの中央に位置する所定の領域に設定されているが、フォーカス調節エリアはこれに限らず、タッチパネルなどの入力装置で設定可能としてもよい。また、撮像された画像中から主要被写体（例えば、人の顔）を表す画像を検出する主要被写体検出部を設け、検出された主要被写体を含む領域をフォーカス調節エリアＥＦとして自動設定するよう構成してもよい。
【００９６】
上記各実施形態では、撮像素子３１は、ＣＭＯＳ型イメージセンサであるが、ＣＣＤ型イメージセンサであってもよい。また、上記各実施形態では、ファインダ部をハイブリッドビューファインダとしているが、電子ビューファインダとしてもよい。
【００９７】
なお、本発明は、デジタルカメラ以外に、ファインダ部を備えたビデオカメラ等の撮影装置に適用可能である。
【符号の説明】
【００９８】
１１  デジタルカメラ
１５  ファインダ部
１６  撮影光学系
１７  フォーカスリング
３１  撮像素子
３２  主制御部
４５  デジタル信号処理部
４８  ファインダ内表示部
５１  デフォーカス量検出部
５２  デフォーカス画像生成部
５３  ズレ方向算出部
５６  通常画像
５７  デフォーカス画像
５８  第１の指標
５９  第２の指標
Ｄ１  第１間隔
Ｄ２  第２間隔
Ｅ  観察エリア
ＥＦ  フォーカス調節エリア
【図１】
2017057509.tif 000003
【図２】
2017057509.tif 000004
【図３】
2017057509.tif 000005
【図４】
2017057509.tif 000006
【図５】
2017057509.tif 000007
【図６】
2017057509.tif 000008
【図７】
2017057509.tif 000009
【図８Ａ】
2017057509.tif 000010
【図８Ｂ】
2017057509.tif 000011
【図９Ａ】
2017057509.tif 000012
【図９Ｂ】
2017057509.tif 000013
【図１０】
2017057509.tif 000014
【図１１】
2017057509.tif 000015
【図１２Ａ】
2017057509.tif 000016
【図１２Ｂ】
2017057509.tif 000017
【図１３Ａ】
2017057509.tif 000018
【図１３Ｂ】
2017057509.tif 000019
【図１４Ａ】
2017057509.tif 000020
【図１４Ｂ】
2017057509.tif 000021
【図１５Ａ】
2017057509.tif 000022
【図１５Ｂ】
2017057509.tif 000023
【図１６】
2017057509.tif 000024
【国際調査報告】
2017057509.tif 000025
2017057509.tif 000026